【事件の表示】
　特願２００７−　７５７９５「有機発光素子」拒絶査定不服審判事件〔平成１９年　８月　９日出願公開、特開２００７−２００９０３〕について、次のとおり審決する。
【結　論】
　本件審判の請求は、成り立たない。
【理　由】
第１　手続の経緯  
　本願は、平成１４年４月１９日に出願した特願２００２−１１７９６５号（パリ条約による優先権主張２００１年４月２０日及び同年６月２５日、韓国）の一部を平成１９年３月２３日に新たな特許出願としたものであって、平成２０年１月１１日及び同年８月２７日に手続補正がなされたが、同年１２月１６日付けで、平成２０年８月２７日付けの手続補正に対する補正の却下の決定がなされるとともに同日付けで拒絶査定がなされ、これに対し、平成２１年３月２３日に拒絶査定に対する審判の請求がなされるとともに、同年４月２１日に手続補正がなされたものである。
　その後、前置報告書の内容について、審判請求人の意見を求めるために平成２２年７月２１日付けで審尋がなされ、同年１０月２６日に当該審尋に対する回答書が提出された。
 　　　　　  
第２　平成２１年４月２１日付けの手続補正についての補正の却下の決定  
［補正の却下の決定の結論］  
　平成２１年４月２１日付けの手続補正（以下「本件補正」という。）を却下する。  
 　　　　　　  
［理由］  
１．補正後の本願発明 
　本件補正により、特許請求の範囲の請求項１は、以下のとおりのものに補正された。
　
　「基板上に形成される有機発光部と、
　外部からの水分及び酸素から前記有機発光部を保護するためのパッケージング板と、
　前記基板及び前記パッケージング板を接合するための接着剤と、
　前記水分及び酸素を吸収して、前記接着剤が前記有機発光部の方に拡散することを遮断して、前記基板と前記パッケージング板の間のギャップを前記接着剤と共に維持するように前記有機発光部と前記接着剤の間で前記基板又は前記パッケージング板に形成される吸湿膜とを含み、
　前記吸湿膜は前記基板及び前記パッケージング板の内で一方に成膜されて、前記吸湿膜とパッケージング板または前記基板の間には前記接着剤の一部が配置される有機発光素子。」（以下「補正発明」という。）
　
２．検討
　補正発明は、「前記吸湿膜は前記基板及び前記パッケージング板の内で一方に成膜されて、前記吸湿膜とパッケージング板または前記基板の間には前記接着剤の一部が配置される」（以下「特定事項」という。）という事項を含むものである。
　請求人は、その補正の根拠として、本願明細書の段落【０１０９】と【０１１６】及び図２０と図２１をあげて、上記特定事項は本願明細書に開示されている事項である（上記回答書の（２）の欄参照）と主張している。
　上記特定事項について検討する。
　
（１）本願明細書等の記載
　本願の願書に最初に添付した明細書又は図面（以下「当初明細書等」という。）には、以下の事項が記載されている。
　
（ａ）「【００５９】
　図８を参照すると、本発明の第２実施例による有機発光素子は基板（６２）と、基板（６２）の上に形成されると共に駆動電圧及び電流により光を放出するＥＬ層（７０）と、接着剤（７８）により基板（６２）と接合されてＥＬ層（７０）を囲むように取り付けられると共に接着剤（７８）の拡散を遮断するための拡散遮断用の突出部（７９）が形成されたパッケージング板（８０）とを具備する。
・・・
【００６５】
　拡散遮断用の突出部（７９）は、パッケージング板（８０）の中央部と接着剤（７８）の間に所定の高さを有するように突出されて形成される。この拡散遮断用の突出部（７９）は基板（６２）とパッケージング板（８０）の接合の際に接着剤（７８）がＥＬ層（７０）に拡散されることを防止する。
　【００６６】
　図９を参照して詳細に説明すると、基板（６２）とパッケージング板（８０）は接着剤（７８）を使用してシーリング（Sealing）することで合着される。このために、接着剤（７８）は熱硬化性樹脂、紫外線の硬化性樹脂及び低融点金属などの材料のいずれかによって形成される。接着剤（７８）はパッケージング板（８０）を押す圧力と塗布された接着剤の質量及び粘度により広がり、この広がりの程度を調節することがとても重要である。工程偏差を考慮したとしても、一定の領域以上を離れないようにするために遮断する役割を拡散遮断用の突出部（７９）が果たす。これにより、圧力によりＥＬ層（７０）へ拡散される接着剤（７８）は拡散遮断用の突出部（７９）により遮断される。
　【００６７】
　従って、接着剤（７８）がＥＬ層（７０）に拡散されることを拡散遮断用の突出部（７９）が遮断することでＥＬ層（７０）の熱化を防ぐ。」
　
（ｂ）「【０１０４】
　図２０は本発明の第７実施例による有機発光素子を表す断面図である。
　図２０を参照すると、本発明の第７実施例による有機発光素子は基板（２２２）と、基板（２２２）の上に形成されると共に駆動電圧及び電流により光を放出するＥＬ層（２３０）と、接着剤（２３８）により基板（２２２）と接合されてＥＬ層（２３０）を囲むように取り付けられるパッケージング板（２４０）と、基板（２２２）の上に形成されたＥＬ層（２３０）と接着剤（２３８）の間に形成されて水分及び酸素からＥＬ層（２３０）を保護するための吸湿膜（２２６）とを具備する。
　【０１０５】
　パッケージング板（２４０）はガラス板と金属板及びプラスチックなどを使用して、平板に製作されて外部からの機械的な強度からＥＬ層（２３０）を保護すると共に発光の際に発生する熱を放出する役割をする。
・・・
　【０１０７】
　吸湿膜（２３６）は接着剤（２３８）及びＥＬ層（２３０）の間の基板（２２２）の上に薄膜か厚膜形態に成膜される。
・・・
　【０１０９】
　吸湿膜（２３６）が成膜された基板（２２２）は、大気中に露出されないように水分と酸素濃度が調節された図示しない真空チャンバーに移動されて接着剤（２３８）によりパッケージング板（２４０）と接着されてＥＬ層（２３０）を含む発光領域を密封する。また、吸湿膜（２３６）は接着剤（２３８）と共にパッケージング板（２４０）及び基板（２２２）とのギャップ（Gap）を維持する役割をする。
　【０１１０】
　このように、有機発光素子は吸湿膜（２３６）を構成する吸湿物質などが大気中の酸素及び水分を吸収することで、酸素及び水分によるＥＬ層（２３０）が熱化されることを防ぐ。」
　
（ｃ）「【０１１１】
　図２１は本発明の第８実施例による有機発光素子を表す断面図である。
　図２１を参照すると、本発明の第８実施例による有機発光素子は基板（２４２）と、基板（２４２）の上に形成されると共に駆動電圧及び電流により光を放出するＥＬ層（２５０）と、接着剤（２５８）により基板（２４２）と接合されてＥＬ層（２５０）を囲むように取り付けられるパッケージング板（２６０）と、パッケージング板（２６０）の背面に成膜されて水分及び酸素からＥＬ層（２５０）を保護するための吸湿膜（２５６）とを具備する。
　【０１１２】
　パッケージング板（２６０）はガラス板と金属板及びプラスチックなどを使用して、平板に製作されて外部からの機械的な強度からＥＬ層（２５０）を保護すると共に発光の際に発生する熱を放出する役割をする。
・・・
　【０１１４】
　吸湿膜（２５６）は基板（２４２）の上に形成されたＥＬ層（２５０）と接着剤（２５８）の間でパッケージング板（２６０）の背面に薄膜か厚膜形態に成膜される。
・・・
　【０１１６】
　吸湿膜（２５６）が背面に成膜されたパッケージング（２６０）は大気中に露出されないように水分と酸素濃度が調節された図示しない真空チャンバーに移動されて接着剤（２５８）により基板（２４２）と接着されてＥＬ層（２５０）を含む発光領域を密封する。また、吸湿膜（２５６）は接着剤（２５８）と共にパッケージング板（２６０）及び基板（２４２）とのギャップ（Gap）を維持する役割をする。
　【０１１７】
　このように、有機発光素子は吸湿膜（２５６）を構成する吸湿物質などが大気中の酸素及び水分を吸収することで、酸素及び水分によるＥＬ層（２５０）が熱化されることを防ぐ。」
　
（ｄ）図８は、本発明の第２実施例による有機発光素子を表す断面図である。
　
（ｅ）図９は、図８に図示された接着剤が発光領域に拡散が遮断されることを表す断面図であり、当該図９には、図８に示された第２実施例に押圧力をかけた状態で、拡散遮断用の突出部７９により接着剤７８が遮断される様子が記載されており、突出部７９の先端と基板６２との間に相当程度の隙間があるのにもかかわらず、接着剤７８は図８の状態に比べて横方向に押圧変形しているものの、この隙間には進入していないことが見て取れる。
　
（ｆ）図２０及び図２１は、それぞれ、本発明の第７及び第８実施例による有機発光素子を表す断面図であり、吸湿膜２３６又は２５６とパッケージング板２４０又は基板２４２との間に隙間が形成されているものの、接着剤２３８又は２５８はこの隙間には進入していないことが見て取れる。
　
（２）判断
　上記各記載によれば、
（ア）接着剤は、押圧された状態でも拡散遮断用の突出部を越えて広がらないように質量及び粘度により広がり程度が調節されており（上記摘記事項（ａ）、（ｄ）、（ｅ）参照）、
（イ）したがって、図２０及び図２１に記載の実施例おいて、吸湿膜２３６又は２５６とパッケージング板２４０又は基板２４２との間の隙間に接着剤２３８又は２５８が進入することは想定できない（上記摘記事項（ｆ）参照）。
（ウ）してみると、本願明細書の段落【０１０９】及び【０１１６】の、「吸湿膜（２３６、２５６）は接着剤（２３８、２５８）と共にパッケージング板（２４０、２６０）及び基板（２２２、２４２）とのギャップ（Gap）を維持する役割をする。」の指し示す技術的意味は、図２０及び図２１に記載のものが押圧されると、接着剤と同様に吸湿膜がパッケージング板と基板とに接触することとなる結果、両者でパッケージング板と基板とのギャップ（Gap）を維持するということにほかならない。
　してみると、上記特定事項が請求人の主張する上記箇所に記載されているとすることはできない。
　また、当初明細書等のすべての記載を参酌しても、上記特定事項を示唆する記載はない。
　すなわち、上記特定事項は、当初明細書等には記載された事項とすることはできない。また、上記特定事項が、当業者にとって自明な事項であるともいえない。
　
　したがって本件補正は、当初明細書等のすべての記載を総合することにより導かれる技術的事項との関係において、新たな技術的事項を導入しないものでない。
 　 
　以上のとおりであるから、本件補正は、平成１８年法律第５５号改正附則第３条第１項によりなお従前の例によるとされる同法による改正前の特許法第１７条の２第３項の規定に違反するので、同法第１５９条第１項において読み替えて準用する同法第５３条第１項の規定により却下すべきものである。 
　よって、上記［補正の却下の決定の結論］のとおり、決定する。
　
第３　本願発明について  
　平成２１年４月２１日付けの手続補正は上記のとおり却下され、平成２０年８月２７日付けの手続補正は、同年１２月１６日付けで補正の却下の決定がなされているので、本願の請求項１に係る発明は、平成２０年１月１１日付けの手続補正により補正された特許請求の範囲の請求項１に記載された事項により特定される以下のとおりのものである。
　
「基板上に形成される有機発光部と；外部からの水分及び酸素から前記有機発光部を保護するためのパッケージング板と；前記基板及び前記パッケージング板を接合するための接着剤と；前記水分及び酸素を吸収し、前記接着剤が前記有機発光部の方に拡散することを遮断して、前記基板と前記パケッージング板の間のギャップを維持するように前記有機発光部と前記接着剤の間で前記基板又は前記パッケージング板に形成される吸湿膜とを含み、
　前記吸湿膜は前記基板及び前記パッケージング板の内で少なくともいずれか一方に成膜される有機発光素子。」（以下「本願発明」という。）
　
１．引用刊行物
（１）原査定の拒絶の理由に引用され、本願出願前に頒布された刊行物である、特開２０００−２０８２５２号公報（以下「引用文献１」という。）には、図面とともに、以下の事項が記載されている。 
　
（１ａ）「【０００１】
【発明の属する技術分野】本発明は、有機化合物を用いた有機ＥＬ素子に関し、さらに詳細には、基板上に積層された有機ＥＬ構造体を保護するための封止構造に関する。」
　
（１ｂ）「【００２１】
【発明の実施の形態】本発明の有機ＥＬ素子は、基板と、この基板上に形成された有機ＥＬ構造体と、この有機ＥＬ構造体を封止する封止板とを有し、前記封止板は、少なくとも波長３５５nm、５３２nmまたは１０６４nmのいずれかの光の透過率が８０％以上であり、前記封止板を基板上に固定する接合部より内側であって前記有機ＥＬ構造体が形成されている領域より外側には、乾燥剤が配置されている。
【００２２】封止板は、少なくとも波長３５５nm、５３２nmまたは１０６４nmのいずれかの光の透過率が８０％以上とし、前記封止板を基板上に固定する接合部より内側であって、有機ＥＬ構造体が形成されている領域より外側に乾燥剤を配置することにより、乾燥剤により有機ＥＬ素子を水分から強力に保護できるとともに封止板側からのレーザーリペア作業が可能となり、製品の歩留まりが向上する。」
　
（１ｃ）「【００２５】封止板の材料としては、封止板として気密状態を維持し、所定の強度を有し、上記レーザー光透過率を有するものであれば特に限定されるものではないが、好ましくは平板状であって、ガラスや石英、樹脂等であり、特にガラスが好ましい。ガラス平板を用いることで、安価でしかも薄型の有機ＥＬ表示装置とすることができる。このようなガラス材として、コストの面からアルカリガラスが好ましいが、この他、ソーダ石灰ガラス、鉛アルカリガラス、ホウケイ酸ガラス、アルミノケイ酸ガラス、シリカガラス等のガラス組成のものも好ましい。特に、ソーダガラスで、表面処理の無いガラス材が安価に使用でき、好ましい。封止板としては、ガラス板以外にも、プラスチック板等を用いることもできる。」
　
（１ｄ）「【００２７】封止板は、スペーサーを用いて高さを調整し、所望の高さに保持してもよい。スペーサーの材料としては、樹脂ビーズ、シリカビーズ、ガラスビーズ、ガラスファイバー等が挙げられ、特にガラスビーズ等が好ましい。スペーサーは、通常、粒径の揃った粒状物であるが、その形状は特に限定されるものではなく、スペーサーとしての機能に支障のないものであれば種々の形状であってもよい。・・・
・・・
【００２９】スペーサーは、予め封止用接着剤中に混入されていても、接着時に混入してもよい。・・・」
　
（１ｅ）「【００３６】接着剤を用いて、封止板を接着し密封する。封止ガスは、Ａｒ、Ｈｅ、Ｎ2 等の不活性ガス等が好ましい。・・・」
　
（１ｆ）「【００３７】乾燥剤としては、所望の吸湿効果を発揮し、固定用の有機化合物等と容易に反応しないようなものであれば特に限定されるものではないが、例えば、水素化カルシウム（ＣａＨ2）、水素化ストロンチウム（ＳｒＨ2）、水素化バリウム（ＢａＨ2）、水素化アルミニウムリチウム（ＡｌＬｉＨ4）、酸化ナトリウム（Ｎａ2Ｏ）、酸化カリウム（Ｋ2Ｏ）、酸化カルシウム（ＣａＯ）、酸化バリウム（ＢａＯ）、酸化マグネシウム（ＭｇＯ）等を挙げることができる。
・・・
【００３９】乾燥剤は、封止板を基板上に固定する接合部より内側であって前記有機ＥＬ構造体が形成されている領域より外側に配置される。乾燥剤を有機ＥＬ素子が成膜している領域より外側に配置することにより、封止板側からレーザーリペアを行うことができる。また、封止板側から光を取り出す構成の場合にも有効である。乾燥剤は上記領域内であればいずれの場所に配置されてもよいが、有機ＥＬ構造体と接触しない位置であることが望ましい。また好ましくは、有機ＥＬ構造体の外周部分をすべて覆い、かつこの乾燥剤と、封止板および基板との間に隙間が生じないように、つまり、外部から進入した水分が、必ず乾燥剤層を通過して有機ＥＬ構造体に到達するよう配置されていることが望ましい。
【００４０】乾燥剤を所定の位置に、所定の形状に配置する方法としては、バインダーを用いたり、通気性を有する樹脂中に配置したりして固定すればよい。」
　
（１ｇ）「【００５９】次に、図を参照しつつ本発明の有機ＥＬ素子についてより具体的に説明する。図１は、本発明の有機ＥＬ素子の一構成例を示す概略断面図である。図１において、基板１上に形成されている有機ＥＬ構造体３と、この有機ＥＬ構造体３を覆うように所定間隔をおいて配置されている封止板２とを有する。また、封止板２は接着剤４により接着・固定され、封止される。そして、封止板を基板上に接着剤４で固定している接合部より内側であって前記有機ＥＬ構造体３が形成されている領域より外側には、乾燥剤５が配置されている。」
　
（１ｈ）「【０１０３】
【実施例】〔実施例１〕
＜乾燥剤・樹脂混合物の調整：サンプル１＞有機化合物としてワックス（日化精工社製、商品名：プルーフワックス、mp：約９０℃）を用い、乾燥剤として：ＣａＨ2 を用いた。次に、水分含有率を１００ppm 以下のＮ2 雰囲気下で前記ワックスを１５０℃まで加熱し、前記ワックス：１００重量部に対し乾燥剤：１００重量部添加し、混合・撹拌し、乾燥剤・樹脂混合物を得た。
【０１０４】次いで、前記乾燥剤・樹脂混合物を封止板の有機ＥＬ構造体と対向する面上に塗布した。塗布領域としては、有機ＥＬ構造体と対向する部分から封止板を基板上に固定する接合部との間の部分とし、さらに有機ＥＬ構造体と対向する部分と接合部から０．５mm程度離間させた。このときの塗布量は、約０．０５g／cm2 とした。
【０１０５】この乾燥剤・樹脂混合物が塗布されたガラス封止板を室温下で放置し冷却した。室温下で乾燥剤・樹脂混合物は硬化し、流動現象は全く見られなかった。」
　
（１ｉ）「【０１１２】＜有機ＥＬ素子の作製＞ガラス基板としてコーニング社製商品名７０５９基板を中性洗剤を用いてスクラブ洗浄した。
【０１１３】ガラス基板上に補助配線１１を形成し、引き続き、顔料分散型のＲＥＤのカラーフィルター層を形成した。これは、アクリル系樹脂に顔料を分散させた材料で、市販の薬液をスピンコートし、プリベークした後に露光、現像、キュアを繰り返して形成したものである。
・・・
【０１２１】得られた有機ＥＬ構造体が積層されている基板に、乾燥剤−有機化合物の混合物を塗布・配置した、サンプル１〜３の封止板を固定した。また、比較サンプルとして、乾燥剤−有機化合物の混合物を塗布しない封止板を固定したサンプルを用意した。この封止板の波長５３２nmおけるレーザー光の透過率は９０％であった。このときの接着剤は、エポキシ系光硬化型接着剤を用いた。」
　
　これらの記載を総合すると、引用文献１には以下の発明が記載されているものと認められる。
　「基板（１）上に形成されている有機ＥＬ構造体（３）と、この有機ＥＬ構造体を覆うように所定間隔をおいて配置され、気密状態を維持する封止板（２）と、封止板を基板上に固定する接合部に用いるスペーサーを予め混入した封止用接着剤（４）と、封止板の該接合部より内側であって前記有機ＥＬ構造体が形成されている領域より外側に、有機ＥＬ構造体の外周部分をすべて覆い、かつ、封止板および基板との間に隙間が生じないようにバインダーを用いて配置されるＮａ2Ｏ、ＣａＯ等の乾燥剤（５）と、を含む有機ＥＬ素子。」（以下「引用文献１記載の発明」という。）
　
２．対比
　本願発明と引用文献１記載の発明とを比較する。
　引用文献１記載の発明の「有機ＥＬ構造体」は、本願発明の「有機発光部」に相当する。
　引用文献１記載の発明の「封止板」は、気密状態を維持するものであるから、本願発明の、外部からの水分及び酸素から前記有機発光部を保護するための「パッケージング板」に相当する。同様に「封止用接着剤」は、「接着剤」に相当する。
　引用文献１記載の発明のＮａ2Ｏ、ＣａＯ等の乾燥剤と本願発明の吸湿膜は、ともに、水分及び酸素を吸収する吸湿部材である点で共通する。
　また、引用文献１記載の発明の乾燥剤が、接着剤の用いられる接合部より内側であって有機ＥＬ構造体が形成されている領域より外側に、有機ＥＬ構造体の外周部分をすべて覆い、かつ、封止板および基板との間に隙間が生じないように配置されることから、接着剤が前記有機発光部の方に拡散することを遮断していることは明らかである。
　さらに、引用文献１記載の発明において、封止用接着剤がスペーサーを予め混入していること、乾燥剤が封止板および基板との間に隙間が生じないように配置されること、及び上記摘記事項（１ｈ）の記載から、乾燥剤が硬化していること、等を考慮すると、乾燥剤が接着剤とともにスペーサーとしての役割を担うことは明らかである。
　
　したがって両者は、
「基板上に形成される有機発光部と；外部からの水分及び酸素から前記有機発光部を保護するためのパッケージング板と；前記基板及び前記パッケージング板を接合するための接着剤と；前記水分を吸収し、前記接着剤が前記有機発光部の方に拡散することを遮断して、前記基板と前記パッケージング板の間のギャップを維持するように前記有機発光部と前記接着剤の間で前記基板又は前記パッケージング板に成形される吸湿部材とを含み、
　前記吸湿部材は前記パッケージング板に成形される有機発光素子。」
の点で一致し、以下の点で相違している。
　
相違点
　吸湿部材が、本願発明では、膜として成膜された吸収膜であるのに対して、引用文献１記載の発明では、バインダーを用いて配置した乾燥剤である点。
　
３．判断
　上記相違点について検討する。
　有機発光素子において、水分とともに酸素がその劣化の原因となることは、よく知られた技術常識であり（特開平７−２１１４５５号公報、段落【０００４】参照）、引用文献１に列挙された吸湿部材の中から、水分とともに酸素も吸収するものを選択することは、当業者が容易になし得る事項である。そして、引用文献１記載の発明のバインダーを用いた乾燥剤を膜状に成形することも、当業者が適宜なし得る事項である。
　
　また、本願発明の作用効果も、引用文献１記載の発明及び周知技術から当業者が予測できる範囲のものである。
　
　したがって、本願発明は、引用文献１記載の発明及び周知技術に基いて、当業者が容易に発明をすることができたものである。
　
４．むすび
　以上のとおり、本願発明は、引用文献１記載の発明及び周知技術に基いて、当業者が容易に発明をすることができたものであるから、特許法第２９条第２項の規定により特許を受けることができない。
　したがって、他の請求項に係る発明を検討するまでもなく、本願は拒絶すべきものである。
　よって、結論のとおり審決する。